(57)【要約】【課題】点火器周囲に配置されたガス発生剤を好適に燃焼させることを可能とする。【解決手段】点火器から脱離して所定の方向に移動できるように構成された脱離部を有する点火器と、ガス発生剤の燃焼が行われる燃焼室と、燃焼室内に配置された点火器から所定の方向にある所定位置に設けられ、脱離部の該所定の方向への移動を制限する制限部と、を備える、ガス発生器であって、脱離部は、制限部によって該脱離部の所定の方向への移動が制限された状態において、点火器での火薬燃焼で生じる燃焼生成物を受ける受圧面で受けた燃焼生成物を点火器の側に指向させるガイド部を有する。【選択図】図４Ｂ
2019018783.tif 000002
【特許請求の範囲】
【請求項１】
火薬が収容された収容室と、該収容室に設けられ、火薬を着火させる着火部と、を備える点火器であって、該点火器での火薬燃焼で生じる燃焼生成物を受ける受圧面を有する脱離部であって、該受圧面への該燃焼生成物による作用により、該点火器から脱離して所定の方向に移動できるように構成された脱離部を有する点火器と、
前記点火器での火薬燃焼により、前記収容室の外側に充填されたガス発生剤の燃焼が行われる燃焼室であって、該点火器を取り囲むように形成された燃焼室と、
前記燃焼室内に配置された前記点火器から前記所定の方向にある所定位置に設けられた制限部であって、前記脱離部の該所定の方向への移動を制限する制限部と、
を備える、ガス発生器であって、
前記脱離部は、前記制限部によって該脱離部の前記所定の方向への移動が制限された状態において、前記受圧面で受けた燃焼生成物を前記点火器の側に指向させるガイド部を更に有する、
ガス発生器。
【請求項２】
前記点火器は、
前記着火部が固定されたヘッダーと、
前記着火部に対向するように配置される底面部と、該底面部の周縁に接続され且つ該着火部を囲むように配置される周壁部とを含むカップであって、該周壁部と該底面部により前記収容室を形成する収容カップと、
を更に有し、
前記脱離部は前記収容カップであって、該収容カップの内壁面が前記受圧面であって、前記周壁部が前記ガイド部として前記燃焼生成物を前記ヘッダーの側に指向させる、
請求項１に記載のガス発生器。
【請求項３】
前記収容カップは、前記点火器での火薬燃焼により、該収容カップが前記ヘッダー側から脱離可能となるように、該点火器での火薬燃焼前の状態において前記ヘッダーに固定され、
前記点火器での火薬燃焼により、前記所定の方向に脱離した前記収容カップの移動が前記制限部によって制限された状態において、該収容カップの前記ヘッダー側の周縁で画定される開口部が拡径し、該拡径した開口部を有する該周壁部が、前記燃焼生成物を前記ヘッダーの側に指向させる、
請求項２に記載のガス発生器。
【請求項４】
前記収容カップは、前記周壁部に、前記燃焼生成物の作用により該収容カップの前記開口部を拡径させるように変形する第１脆弱部を含む、
請求項３に記載のガス発生器。
【請求項５】
前記収容カップは、前記周壁部に、前記燃焼生成物の作用により該収容カップの一部が前記ヘッダー側から脱離可能となるように破断する第２脆弱部を含み、
前記点火器での火薬燃焼により、前記第２脆弱部が破断することによって、該ヘッダー側から脱離した前記収容カップの一部における前記周壁部が、前記燃焼生成物を前記ヘッダーの側に指向させる、
請求項２に記載のガス発生器。
【請求項６】
前記収容カップは、前記ヘッダーに固定されるとともに、前記周壁部のうち該収容カップの該ヘッダー側の周縁で画定される開口部の側において該ヘッダーに固着され、更に前記底面部寄りの前記周壁部に前記第２脆弱部を形成し、
前記点火器での火薬燃焼により、前記第２脆弱部が破断することによって、前記周壁部
の一部と前記底面部が一体となって前記ヘッダー側から脱離する、請求項５に記載のガス発生器。
【請求項７】
前記点火器は、
前記着火部が固定されたヘッダーと、
前記着火部に対向するように配置される底面部と、該底面部の周縁に接続され且つ該着火部を囲むように配置される周壁部とを含むカップであって、該周壁部と該底面部により前記収容室を形成する収容カップと、
を更に有し、
前記収容カップは、所定部位が開裂することで前記燃焼生成物を前記収容室の外部に放出させ、
前記脱離部は、前記収容カップから放出される燃焼生成物を受ける前記受圧面を有し、該収容カップの前記所定部位を覆って設けられた補助カップであって、
前記点火器での火薬燃焼により、前記収容カップから離間して前記所定の方向に脱離した前記補助カップの移動が前記制限部によって制限された状態において、該補助カップの一部分が、前記ガイド部として前記燃焼生成物を該点火器の側に指向させる、
請求項１に記載のガス発生器。
【請求項８】
請求項１から請求項７の何れか１項に記載のガス発生器において、
前記点火器を収容するハウジングであって、その内部に前記燃焼室を有するハウジングを備え、
前記ハウジングの内部に、前記燃焼室を上下に分割し、上側に位置する第１燃焼室と下側に位置する第２燃焼室とを形成する分割壁が設けられ、
前記ハウジングの底面に、前記第１燃焼室に充填された第１ガス発生剤を燃焼する第１点火器と、前記第２燃焼室に充填された第２ガス発生剤を燃焼する第２点火器とが配置され、
前記分割壁は、前記底面に配置された前記第１点火器を取り囲み前記第１燃焼室内に該第１点火器を収容する収容壁を含み、
前記第２点火器は前記脱離部を有し、且つ、前記制限部は、前記第２燃焼室内において該第２点火器から前記所定の方向に位置する前記分割壁の一部であって、
前記脱離部の前記ガイド部は、前記分割壁の一部によって該脱離部の前記所定の方向への移動が制限された状態において、前記燃焼生成物を前記第２点火器の側に指向させる、
ガス発生器。
【発明の詳細な説明】
【技術分野】
【０００１】
本発明は、点火器での火薬燃焼により、ガス発生剤を燃焼させて燃焼ガスを発生させるガス発生器に関する。
【背景技術】
【０００２】
点火器での火薬燃焼により、ガス発生剤を燃焼させるガス発生器は、発生した燃焼ガスを所望の動作を実現するための動力源を供給するものとして広く利用されている。そのようなガス発生器は、例えば、車両等に搭載されるエアバッグ装置のエアバッグを展開するための駆動源として利用することができる。このようなガス発生器においては、燃焼ガスを設計通りに発生させるためにガス発生剤を所望するように燃焼させる必要がある。
【０００３】
例えば、特許文献１に示すガス発生器では、その図１４及び図１９に示すように、点火器先端が着火蓋で覆われており、該着火蓋で覆われた空間において着火薬が燃焼される。そして、着火蓋には火薬燃焼による火炎を噴出する着火孔が形成されている。この着火孔は、円筒状のガス発生器のハウジングの軸心周りに向けて火炎を噴出するように形成されている。このような構成によれば、火薬燃焼による火炎が点火器の側方に放出され、これにより、ガス発生器のハウジング内の軸心周りに位置するガス発生剤に対して、燃焼が開始される。
【先行技術文献】
【特許文献】
【０００４】
【特許文献１】特開２０００−２９６７５６号公報
【特許文献２】登録実用新案第３０４４０９７号公報
【発明の概要】
【発明が解決しようとする課題】
【０００５】
ガス発生剤を所望するように燃焼させるために、火薬燃焼で生じる燃焼生成物の放出方向を所望の方向とすることが求められている。そして、従来技術のガス発生器では、点火器における火薬収容空間の側方に放射状に燃焼生成物の放出を行うことが意図されている。ここで、燃焼室における点火器周囲のガス発生剤の配置に着目すると、ガス発生剤は、火薬収容空間の側方だけでなく、該空間の下方にも配置され得る。そして、火薬燃焼で生じる燃焼生成物が火薬収容空間の側方に放出されるように構成された従来技術では、該燃焼生成物を直接、該空間の下方まで届けることが容易ではない。このように、従来技術では、点火器周囲に配置されたガス発生剤を所望するように燃焼させることができなくなる虞がある。
【０００６】
本発明は、上記した問題に鑑み、点火器周囲に配置されたガス発生剤を好適に燃焼させることを可能とする技術を提供することを目的とする。
【課題を解決するための手段】
【０００７】
上記課題を解決するために、本発明のガス発生器が備える点火器は、該点火器での火薬燃焼で生じる燃焼生成物による作用により、該点火器から脱離して所定の方向に移動できるように構成された脱離部を有する。そして、本発明では、制限部によって脱離部の所定の方向への移動が制限された状態において、該脱離部が有するガイド部によって、該脱離部が受けた燃焼生成物を点火器の側に指向させるように、ガス発生器を構成した。このような構成により、点火器周囲に配置されたガス発生剤を好適に燃焼させることが可能となる。
【０００８】
具体的には、本発明のガス発生器は、火薬が収容された収容室と、該収容室に設けられ、火薬を着火させる着火部と、を備える点火器であって、該点火器での火薬燃焼で生じる燃焼生成物を受ける受圧面を有する脱離部であって、該受圧面への該燃焼生成物による作用により、該点火器から脱離して所定の方向に移動できるように構成された脱離部を有する点火器と、前記点火器での火薬燃焼により、前記収容室の外側に充填されたガス発生剤の燃焼が行われる燃焼室であって、該点火器を取り囲むように形成された燃焼室と、前記燃焼室内に配置された前記点火器から前記所定の方向にある所定位置に設けられた制限部であって、前記脱離部の該所定の方向への移動を制限する制限部と、を備える。そして、前記脱離部は、前記制限部によって該脱離部の前記所定の方向への移動が制限された状態において、前記受圧面で受けた燃焼生成物を前記点火器の側に指向させるガイド部を更に有する。
【０００９】
上記の点火器は、火薬燃焼前には該点火器に一体となっていて、火薬燃焼後に該点火器から脱離する脱離部を有している。このような点火器を備える本発明のガス発生器において、火薬燃焼で生じる燃焼生成物は、脱離部が有する受圧面に作用する。そうすると、脱離部は点火器から脱離する。ここで、脱離部は、受圧面への燃焼生成物による作用により、所定の方向に移動できるように構成されている。したがって、点火器から脱離した脱離部は、該点火器を取り囲むように形成されている燃焼室中を、該点火器から所定の方向へ移動することになる。また、燃焼室内には、点火器から所定の方向にある所定位置に制限部が設けられている。したがって、燃焼室中を点火器から所定の方向へ移動する脱離部は、その移動の途中において制限部に接触し、その移動が制限される。
【００１０】
そして、制限部によって脱離部の所定の方向への移動が制限された状態では、該脱離部の受圧面で反射した燃焼生成物は、該脱離部が有するガイド部によって点火器の側に指向されて燃焼室に広がる。そして、このように燃焼室に広がった燃焼生成物は、点火器の側のガス発生剤を燃焼させる。つまり、点火器周囲に配置されたガス発生剤の燃焼が促進される。これにより、点火器周囲に配置されたガス発生剤を好適に燃焼させることが可能となり、以て、ガス発生剤の燃焼ムラを可及的に抑制し、好適な燃焼ガス生成能力を発揮することができる。
【００１１】
また、本発明のガス発生器において、前記点火器は、前記着火部が固定されたヘッダーと、前記着火部に対向するように配置される底面部と、該底面部の周縁に接続され且つ該着火部を囲むように配置される周壁部とを含むカップであって、該周壁部と該底面部により前記収容室を形成する収容カップと、を更に有してもよい。そして、該ガス発生器において、前記脱離部は前記収容カップであって、該収容カップの内壁面が前記受圧面であって、前記周壁部が前記ガイド部として前記燃焼生成物を前記ヘッダーの側に指向させてもよい。このような構成によれば、収容室を形成する収容カップの内壁面が受圧面として機能するため、火薬燃焼で生じる燃焼生成物を該受圧面に好適に作用させることができる。これにより、収容カップは、点火器から脱離し易くなる。そして、制限部によって収容カップの所定の方向への移動が制限された状態において、該収容カップの周壁部がガイド部として、受圧面で受けた燃焼生成物を点火器のヘッダーの側に指向させることによって、点火器周囲に配置されたガス発生剤を好適に燃焼させることができる。
【００１２】
ここで、上記のガス発生器において、前記収容カップは、前記点火器での火薬燃焼により、該収容カップが前記ヘッダー側から脱離可能となるように、該点火器での火薬燃焼前の状態において前記ヘッダーに固定されてもよい。そして、該ガス発生器は、前記点火器での火薬燃焼により、前記所定の方向に脱離した前記収容カップの移動が前記制限部によって制限された状態において、該収容カップの前記ヘッダー側の周縁で画定される開口部が拡径し、該拡径した開口部を有する該周壁部が、前記燃焼生成物を前記ヘッダーの側に
指向させるように構成されてもよい。
【００１３】
このような構成によれば、火薬燃焼で生じる燃焼生成物が収容カップの受圧面に作用すると、該収容カップとヘッダーとの固定状態が維持されなくなる。その結果、収容カップは、ヘッダー側から脱離して燃焼室中を点火器から所定の方向へ移動する。そして、その移動の途中において制限部に接触し、その移動が制限される。ここで、上記のガス発生器では、ヘッダー側から脱離した収容カップの移動が制限された状態において、該収容カップの開口部が拡径した状態が形成される。このような状態では、収容カップの受圧面で反射した燃焼生成物は、該収容カップの周壁部によって、燃焼室のヘッダーの側の広い範囲に指向され易くなる。これにより、収容カップから放出される燃焼生成物は、燃焼室のヘッダーの側の広い範囲に導かれることになり、以て、点火器周囲に配置されたガス発生剤の燃焼が、より広範囲に亘って促進される。つまり、点火器周囲に配置されたガス発生剤を好適に燃焼させることが可能となる。
【００１４】
そして、上記のガス発生器において、前記収容カップは、前記周壁部に、前記燃焼生成物の作用により該収容カップの前記開口部を拡径させるように変形する第１脆弱部を含んでもよい。このような構成によれば、第１脆弱部を含む周壁部は、収容カップの開口部が拡径する方向に変形し易くなる。これにより、燃焼生成物を燃焼室のヘッダーの側の広い範囲に導き易くなる。その結果、点火器周囲に配置されたガス発生剤の燃焼が広範囲に亘って促進され、以て、点火器周囲に配置されたガス発生剤を好適に燃焼させることが可能となる。
【００１５】
また、本発明のガス発生器において、前記収容カップは、前記周壁部に、前記燃焼生成物の作用により該収容カップの一部が前記ヘッダー側から脱離可能となるように破断する第２脆弱部を含んでもよい。そして、該ガス発生器は、前記点火器での火薬燃焼により、前記第２脆弱部が破断することによって、該ヘッダー側から脱離した前記収容カップの一部における前記周壁部が、前記燃焼生成物を前記ヘッダーの側に指向させるように構成されてもよい。このような構成によれば、火薬燃焼で生じる燃焼生成物が収容カップの受圧面に作用すると、周壁部に含まれる第２脆弱部が破断する。そうすると、収容カップの一部は、燃焼生成物による作用を受けながらヘッダー側から脱離する。そして、ヘッダー側から脱離した収容カップの一部は、燃焼室中を点火器から所定の方向へ移動し、制限部によってその移動が制限される。この収容カップの一部における周壁部が、燃焼生成物をヘッダーの側に指向させることによって、点火器周囲に配置されたガス発生剤を好適に燃焼させることができる。
【００１６】
ここで、上記のガス発生器において、前記収容カップは、前記ヘッダーに固定されるとともに、前記周壁部のうち該収容カップの該ヘッダー側の周縁で画定される開口部の側において該ヘッダーに固着され、更に前記底面部寄りの前記周壁部に前記第２脆弱部を形成してもよい。そして、該ガス発生器は、前記点火器での火薬燃焼により、前記第２脆弱部が破断することによって、前記周壁部の一部と前記底面部が一体となって前記ヘッダー側から脱離するように構成されてもよい。このようなガス発生器は、例えば、収容カップの周壁部のうち第２脆弱部から開口部までの何れかの部分が、ヘッダーに対して溶接によって固着されることによって構成されてもよい。そして、このような構成によれば、燃焼生成物の作用によって、周壁部に含まれる第２脆弱部が破断すると、底面部と該底面部寄りの周壁部を含む収容カップの一部は、ヘッダー側から脱離する。一方、開口部と該開口部寄りの周壁部を含む収容カップの別の一部は、ヘッダーに固着された状態が維持される。そして、ヘッダー側から脱離した収容カップの一部は、燃焼室中を点火器から所定の方向へ移動し、制限部によってその移動が制限される。この収容カップの一部における周壁部が、燃焼生成物をヘッダーの側に指向させることによって、点火器周囲に配置されたガス発生剤を好適に燃焼させることができる。
【００１７】
また、本発明のガス発生器において、前記点火器は、前記着火部が固定されたヘッダーと、前記着火部に対向するように配置される底面部と、該底面部の周縁に接続され且つ該着火部を囲むように配置される周壁部とを含むカップであって、該周壁部と該底面部により前記収容室を形成する収容カップと、を更に有し、前記収容カップは、所定部位が開裂することで前記燃焼生成物を前記収容室の外部に放出させ、前記脱離部は、前記収容カップから放出される燃焼生成物を受ける前記受圧面を有し、該収容カップの前記所定部位を覆って設けられた補助カップであってもよい。そして、該ガス発生器は、前記点火器での火薬燃焼により、前記収容カップから離間して前記所定の方向に脱離する前記補助カップの移動が前記制限部によって制限された状態において、該補助カップの一部分が、前記ガイド部として前記燃焼生成物を該点火器の側に指向させるように構成されてもよい。
【００１８】
このような構成によれば、火薬燃焼により、収容カップの所定部位が開裂し、燃焼生成物が収容室の外部に放出されると、該燃焼生成物が補助カップの受圧面に作用する。そうすると、補助カップは、収容カップから離間して所定の方向に脱離する。そして、制限部によって補助カップの所定の方向への移動が制限された状態では、燃焼生成物は、補助カップの一部分によって点火器の側に指向されて燃焼室に広がる。これにより、点火器周囲に配置されたガス発生剤の燃焼が促進され、以て、点火器周囲に配置されたガス発生剤を好適に燃焼させることが可能となる。
【００１９】
上述までのガス発生器において、前記点火器を収容するハウジングであって、その内部に前記燃焼室を有するハウジングを備え、前記ハウジングの内部に、前記燃焼室を上下に分割し、上側に位置する第１燃焼室と下側に位置する第２燃焼室とを形成する分割壁が設けられ、前記ハウジングの底面に、前記第１燃焼室に充填された第１ガス発生剤を燃焼する第１点火器と、前記第２燃焼室に充填された第２ガス発生剤を燃焼する第２点火器とが配置され、前記分割壁は、前記底面に配置された前記第１点火器を取り囲み前記第１燃焼室内に該第１点火器を収容する収容壁を含み、前記第２点火器は前記脱離部を有し、且つ、前記制限部は、前記第２燃焼室内において該第２点火器から前記所定の方向に位置する前記分割壁の一部であって、前記脱離部の前記ガイド部は、前記分割壁の一部によって該脱離部の前記所定の方向への移動が制限された状態において、前記燃焼生成物を前記第２点火器の側に指向させてもよい。
【００２０】
このようなガス発生器は、第１点火器の作動による第１ガス発生剤の燃焼と、第２点火器の作動による第２ガス発生剤の燃焼とによって、外部への燃焼ガスの放出の形態を多様に調整することができる。また、このようなガス発生器は、比較的多量の燃焼ガスを生成し、外部に放出することができる。そして、このガス発生器における点火器とガス発生剤との位置関係について、ハウジング内部の上側に位置する第１燃焼室では、ハウジングの底面に配置される第１点火器の上方に第１ガス発生剤が充填される傾向にある。これに対して、ハウジング内部の下側に位置する第２燃焼室では、ハウジングの底面に配置される第２点火器の側方に第２ガス発生剤が充填される傾向にある。この場合、第２燃焼室における第２点火器の周囲には、ハウジングの底面側に比較的多くの第２ガス発生剤が充填され易くなる。ここで、上記のガス発生器では、分割壁の一部によって脱離部の移動が制限された状態において、該脱離部の受圧面で反射した燃焼生成物が、該脱離部が有するガイド部によって第２点火器の側（すなわち、ハウジングの底面側）に指向されて第２燃焼室に広がる。その結果、第２点火器周囲においてハウジングの底面側に比較的多くの第２ガス発生剤が充填されていたとしても、これら第２ガス発生剤を好適に燃焼させることが可能となる。これにより、ガス発生剤の燃焼ムラを可及的に抑制し、好適な燃焼ガス生成能力を発揮することができる。
【発明の効果】
【００２１】
本発明によれば、点火器周囲に配置されたガス発生剤を好適に燃焼させることが可能となる。
【図面の簡単な説明】
【００２２】
【図１】本発明のガス発生器の概略構成を示す第１の図である。
【図２】図１に示すガス発生器に適用される点火器の概略構成を示す図である。
【図３】図２に示す点火器に適用される収容カップ及び金属ヘッダーの概略構成を示す図である。
【図４Ａ】図１に示すガス発生器において、第２点火器及びその周辺の概略構成を示す図であって、点火薬の燃焼前の状態を表す図である。
【図４Ｂ】図１に示すガス発生器において、第２点火器及びその周辺の概略構成を示す図であって、点火薬の燃焼後の状態を表す図である。
【図５】本発明の実施例１の第１の変形例に係る収容カップの概略構成を示す図である。
【図６】本発明のガス発生器の概略構成を示す第２の図である。
【図７】本発明の実施例２に係る収容カップの概略構成を示す図である。
【図８】本発明の実施例２に係るガス発生器において、第２点火器及びその周辺の概略構成を示す図であって、点火薬の燃焼後の状態を表す図である。
【図９】本発明の実施例３に係るガス発生器に適用される点火器の概略構成を示す図である。
【図１０】図９に示す点火器に適用される補助カップの概略構成を示す図である。
【図１１Ａ】本発明の実施例３に係るガス発生器において、第２点火器及びその周辺の概略構成を示す図であって、点火薬の燃焼前の状態を表す図である。
【図１１Ｂ】本発明の実施例３に係るガス発生器において、第２点火器及びその周辺の概略構成を示す図であって、点火薬の燃焼後の状態を表す図である。
【発明を実施するための形態】
【００２３】
以下に、図面を参照して本発明の実施形態に係るガス発生器について説明する。なお、以下の実施形態の構成は例示であり、本発明はこれらの実施の形態の構成に限定されるものではない。
【００２４】
＜実施例１＞
図１は、ガス発生器１の高さ方向の断面図である。ガス発生器１は、上部シェル２及び下部シェル３で形成されるハウジング４内に充填されたガス発生剤を燃焼させて、燃焼ガスを放出するように構成されている。なお、ガス発生器１は、後述するように２つの燃焼室が上下に配置され、各燃焼室に、対応する点火器及びガス発生剤を配置した、いわゆるデュアルタイプのガス発生器である。ここで、上部シェル２は周壁部２ｃと頂面部２ｄを有し、これらにより凹状の内部空間を形成する。頂面部２ｄは、後述の下部シェル３の底面部３ｂとともに、上面視で概ね円形状を有しており、周壁部２ｃ及び後述の下部シェル３の周壁部３ａは、それぞれ頂面部２ｄ、底面部３ｂの周囲を囲み、各面部から概ね垂直に延在した環状の壁面を形成している。上部シェル２の内部空間は、後述するように第１ガス発生剤２２が充填される第１燃焼室２１となる。周壁部２ｃの一端側に頂面部２ｄが接続し、その他端側は上部シェル２の開口部となる。そして、周壁部２ｃの当該他端側には、当該開口部から順に、嵌合壁部２ａ、突き当て部２ｂが設けられている。嵌合壁部２ａによる内部空間の半径は、頂面部２ｄ寄りの周壁部２ｃによる内部空間の半径より大きく形成され、嵌合壁部２ａは、突き当て部２ｂを介して周壁部２ｃへと繋がっている。
【００２５】
また、下部シェル３は周壁部３ａと底面部３ｂを有し、これらにより凹状の内部空間を形成する。当該内部空間は、第２ガス発生剤２６が充填される第２燃焼室２５となる。周壁部３ａの一端側に底面部３ｂが接続し、その他端側は下部シェル３の開口部となる。そ
して、周壁部３ａによる内部空間の半径は、上部シェル２の周壁部２ｃによる内部空間の半径と概ね同じである。下部シェル３の底面部３ｂには、第１点火器２３と第２点火器２７がそれぞれ固定される孔が設けられている。
【００２６】
更に、ハウジング４内には、上部シェル２と下部シェル３との間に分割壁１０が配置されている。分割壁１０は、終端部１５と、その終端部１５に繋がりハウジング４内を概ね上下の空間に分割する分割壁部１４と、分割壁部１４に繋がり後述する収容壁部材（収容壁）１６に沿って延在する周壁部１３と、収容壁部材１６の開口部を一部覆うように配置される端部１２を有する。なお、端部１２は、貫通孔１１を形成している。また、下部シェル３の底面部３ｂに取り付けられた第１点火器２３の周囲を、その高さ方向に囲むように、筒状の収容壁部材１６が底面部３ｂに設けられている。この収容壁部材１６の上方の開口部は、上記分割壁１０の端部１２によって覆われている。また、収容壁部材１６には貫通孔１７が設けられており、貫通孔１７は、分割壁１０により分割されて形成される２つの空間（第１燃焼室２１と第２燃焼室２５）を連通する。
【００２７】
そして、このように下部シェル３上に分割壁１０が取り付けられた状態で、上方より上部シェル２が更に取り付けられる。上記の通り、上部シェル２の嵌合壁部２ａによる内部空間の半径は、周壁部２ｃによる内部空間の半径より大きく形成されているため、上部シェル２は、その突き当て部２ｂが分割壁１０の終端部１５に突き当てられるまで、下部シェル３に対して嵌め込まれる。なお、ハウジング４において、上部シェル２と下部シェル３の嵌合部位や接触部位は、内部に充填されるガス発生剤の防湿等のために好適な接合方法（例えば、溶接等）により接合される。
【００２８】
このようにハウジング４においては、分割壁１０によってその内部空間が概ね上下に２つの空間に分割されることになる。ハウジング４の内部空間のうち上部シェル２と分割壁１０によって画定される第１燃焼室２１には、第１点火器２３、第１ガス発生剤２２が配置され、下部シェル３と分割壁１０によって画定される第２燃焼室２５には、第２点火器２７、第２ガス発生剤２６が配置されることで、ガス発生器１は２つの第１点火器２３、第２点火器２７を備えるデュアルタイプのガス発生器として構成されている。なお、第１点火器２３と第２点火器２７はともに下部シェル３の底面部３ｂ上に固定されており、そのため、第１点火器２３は、第１点火器２３の側方が収容壁部材１６に囲まれた状態となっている。
【００２９】
ここで、第１燃焼室２１では、収容壁部材１６の内部空間（収容壁部材１６と、下部シェル３の底面部３ｂと、によって画定される空間であって、上方に開口している空間）には第１点火器２３が収容され、その上方の空間に第１ガス発生剤２２が充填されることになるが、その第１ガス発生剤２２を取り囲むように環状のフィルタ３２が配置されている。このとき第１ガス発生剤２２は、第１燃焼室２１内で不要に振動しないようにクッション３１の付勢力によりフィルタ３２、分割壁部１４等に抑えつけられた状態で充填されている。第１ガス発生剤２２は、比較的燃焼温度の低いガス発生剤を使用している。第１ガス発生剤２２の燃焼温度は、１０００〜１７００℃の範囲にあることが望ましく、例えば、硝酸グアニジン（４１重量％）、塩基性硝酸銅（４９重量％）及びバインダーや添加物からなる、単孔円柱状のものを用いることができる。なお、収容壁部材１６の内部空間には、第１ガス発生剤２２と組成が異なるガス発生剤が充填されてもよい。この場合、収容壁部材１６の内部空間に充填されるガス発生剤の組成は、第１ガス発生剤２２の着火を助長するため、燃焼温度が第１ガス発生剤２２よりも高くなるように構成され得る。
【００３０】
なお、フィルタ３２は、ステンレス鋼製平編の金網を半径方向に重ね、半径方向及び軸方向に圧縮して形成されており、第１ガス発生剤２２による燃焼ガスを冷却し、その燃焼残渣を捕集する。フィルタ３２として、その他に針金を心棒に多層に巻いて形成された巻
線タイプの構造のものを採用してもよい。なお、フィルタ３２は、第２燃焼室２５に充填された第２ガス発生剤２６の燃焼残渣も捕集する。また、上部シェル２の周壁部２ｃとフィルタ３２との間に形成された間隙３３により、フィルタ３２の周囲に半径方向断面に環状のガス通路が形成される。この間隙３３により、燃焼ガスはフィルタ３２の全領域を通過し、フィルタ３２の有効利用と燃焼ガスの効果的な冷却・浄化が達成される。間隙３３を流れる燃焼ガスは、周壁部２ｃに設けられたガス排出口５に至る。また、ハウジング４内に外部より湿気が侵入するのを阻止するために、ガス発生器１の作動前では、アルミニウムテープ３４によりガス排出口５がハウジング４の内部から塞がれている。
【００３１】
また、第２燃焼室２５では、下部シェル３の底面部３ｂに固定された第２点火器２７に対応して、第２ガス発生剤２６が充填されている。この場合、第２燃焼室２５における第２点火器２７の周囲には、下部シェル３の底面部３ｂ側に比較的多くの第２ガス発生剤２６が充填され易くなる。そして、第２ガス発生剤２６も、第２燃焼室２５内で不要に振動しないようにクッション３５によって付勢された状態で充填されている。また、第２ガス発生剤２６にも、第１ガス発生剤２２と同様に、硝酸グアニジン（４１重量％）、塩基性硝酸銅（４９重量％）及びバインダーや添加物からなる、単孔円柱状のものを用いることができる。
【００３２】
このような構成により、ガス発生器１では、第１点火器２３の作動による第１ガス発生剤２２の燃焼と、第２点火器２７の作動による第２ガス発生剤２６の燃焼とによって、外部への燃焼ガスの放出の形態を多様に調整することができる。また、比較的多量の燃焼ガスを生成し、外部に放出することができる。
【００３３】
次に、ガス発生器１に適用される点火器について、第２点火器２７を例にして、図２及び図３に基づいて説明する。第２点火器２７は電気式の点火装置であり、図２に示すように、表面が絶縁カバーで覆われた金属製の収容カップ２７１によって、点火薬２７２を収容するための空間が該収容カップ２７１内に画定される。そして、その空間に金属ヘッダー２７３が配置され、その上面に筒状のチャージホルダ２７４が設けられている。該チャージホルダ２７４によって点火薬２７２が保持される。ここで、図３に示すように、収容カップ２７１は、底面部２７１ａ、周壁部２７１ｂ、及び開口部２７１ｃを有している。そして、収容カップ２７１の底面部２７１ａ及び周壁部２７１ｂが、金属ヘッダー２７３の上面２７３ａ及び周面２７３ｂを覆って、該収容カップ２７１と該金属ヘッダー２７３とが固定されることによって、収容室２７５が形成される。点火薬２７２は、この収容室２７５に封止される。また、収容室２７５に収容された点火薬２７２の底部には、片方の導電ピン２７８と金属ヘッダー２７３を電気的に接続したブリッジワイヤ２７６が配線されている。なお、二本の導電ピン２７８は非電圧印加時には互いが絶縁状態となるように、絶縁体２７７を介して金属ヘッダー２７３に固定される。更に、収容カップ２７１の金属ヘッダー２７３側の周縁で画定される上記の開口部２７１ｃは、樹脂カラー２７９によって導電ピン２７８間の絶縁性を良好に維持した状態で保護されている。このように構成される第２点火器２７においては、外部電源によって二本の導電ピン２７８間に電圧印加されるとブリッジワイヤ２７６に電流が流れ、それにより点火薬２７２が燃焼する。なお、点火薬２７２を燃焼させるブリッジワイヤ２７６が、本発明における着火部に相当する。
【００３４】
ここで、ガス発生器１に適用される点火器において用いられる点火薬として、好ましくは、ジルコニウムと過塩素酸カリウムを含む火薬（ＺＰＰ）、水素化チタンと過塩素酸カリウムを含む火薬（ＴＨＰＰ）、チタンと過塩素酸カリウムを含む火薬（ＴｉＰＰ）、アルミニウムと過塩素酸カリウムを含む火薬（ＡＰＰ）、アルミニウムと酸化ビスマスを含む火薬（ＡＢＯ）、アルミニウムと酸化モリブデンを含む火薬（ＡＭＯ）、アルミニウムと酸化銅を含む火薬（ＡＣＯ）、アルミニウムと酸化鉄を含む火薬（ＡＦＯ）、もしくは
これらの火薬のうちの複数の組合せからなる火薬が挙げられる。これらの火薬は、点火直後の燃焼時には高温高圧のプラズマを発生させるが、常温となり燃焼性生物が凝縮すると気体成分を含まないために発生圧力が急激に低下する特性を示す。なお、これら以外の火薬を点火薬として用いても構わない。
【００３５】
そして、点火薬２７２が燃焼すると燃焼生成物が生じる。そうすると、燃焼生成物は、チャージホルダ２７４から噴出されることになる。このとき、チャージホルダ２７４の上端から噴出された燃焼生成物は、該チャージホルダ２７４の上端に対向して設けられた収容カップ２７１の底面部２７１ａの内壁面に主に作用する傾向にある。
【００３６】
ここで、図４Ａに示すように、第２点火器２７の収容室２７５外部には、その側方（図４Ａにおける範囲Ａ１）、上方（図４Ａにおける範囲Ａ１よりも上方の範囲）、及び下方（図４Ａにおける範囲Ａ１よりも下方の範囲）に燃焼室空間（第２燃焼室２５）が設けられており、該空間に第２ガス発生剤２６が充填されている。そして、仮に収容カップ２７１の底面部２７１ａの所定部位が開裂することで燃焼生成物が収容室２７５から第２燃焼室２５へ放出されるとすると、収容室２７５外部の上方における第２燃焼室２５に充填された第２ガス発生剤２６の燃焼が促進され易くなる。この場合、収容室２７５外部の側方及び下方における第２燃焼室２５に充填された第２ガス発生剤２６の燃焼が遅れ、ガス発生剤の燃焼にムラが生じる虞がある。
【００３７】
そこで、本発明のガス発生器１では、第２点火器２７の収容カップ２７１が、点火薬２７２の燃焼で生じる燃焼生成物による作用により、該第２点火器２７から脱離して所定の方向に移動する。そして、収容カップ２７１の移動が、クッション３５及び分割壁部１４によって制限された状態において、該収容カップ２７１が受けた燃焼生成物が、該収容カップ２７１の周壁部２７１ｂによって第２点火器２７の側（すなわち、下部シェル３の底面部３ｂ側）に指向される。その結果、収容室２７５外部の側方及び下方の第２ガス発生剤２６の燃焼促進が図られる。これについて、以下に詳しく説明する。
【００３８】
上述したように、点火薬２７２の燃焼で生じた燃焼生成物は、チャージホルダ２７４の上端から噴出される。そして、チャージホルダ２７４から噴出された燃焼生成物は、収容カップ２７１の内壁面に作用する。そうすると、収容カップ２７１と金属ヘッダー２７３との固定状態が維持されなくなり、該収容カップ２７１が該金属ヘッダー２７３側から脱離することになる。なお、収容カップ２７１は、点火薬２７２の燃焼により、該収容カップ２７１が金属ヘッダー２７３側から脱離可能となるように、点火薬２７２の燃焼前の状態において該金属ヘッダー２７３に固定されている。このような固定状態は、収容カップ２７１と金属ヘッダー２７３とが溶接固定されないことによって実現される。この場合、収容カップ２７１と金属ヘッダー２７３は、例えば樹脂カラー２７９によってモールド固定される。あるいは、収容カップ２７１と金属ヘッダー２７３は、金属ヘッダー２７３の周面２７３ｂに窪みを形成し、収容カップ２７１の周壁部２７１ｂのうち当該窪みに対応した部分を軽くかしめることによって固定されてもよいし、収容カップ２７１の周囲に樹脂を射出して、硬化時の収縮を利用して収容カップ２７１の周壁部２７１ｂを金属ヘッダー２７３の周面２７３ｂに押さえつけることによって固定されてもよい。なお、この場合、収容カップ２７１の周壁部２７１ｂと金属ヘッダー２７３の周面２７３ｂにシール剤を塗布することができる。
【００３９】
そして、収容カップ２７１が金属ヘッダー２７３側から脱離した後においても、該収容カップ２７１の内壁面には、点火薬２７２の燃焼で生じる燃焼生成物が作用し続ける。その結果、金属ヘッダー２７３側から脱離した収容カップ２７１は、第２燃焼室２５において第２点火器２７から所定の方向へ移動する。ここで、本実施例における所定の方向とは、収容カップ２７１の底面部２７１ａに垂直な方向である。そして、ガス発生器１におい
て、第２点火器２７から所定の方向には、クッション３５及び分割壁部１４が設けられている。したがって、上述したように移動する収容カップ２７１は、その移動の途中においてクッション３５に接触する。そして、クッション３５に接触した収容カップ２７１は、該クッション３５を変形させながら所定の方向へ移動し続け、最終的には、該クッション３５を介して分割壁部１４によって受け止められる。つまり、収容カップ２７１は、クッション３５及び分割壁部１４によってその移動が制限され、該クッション３５及び該分割壁部１４が、本発明における制限部に相当する。なお、金属ヘッダー２７３側から脱離した収容カップ２７１の移動空間が好適に確保されるよう、収容カップ２７１が金属ヘッダー２７３側から脱離する前の状態において、第２燃焼室２５における収容カップ２７１の底面部２７１ａ上方には、第２ガス発生剤２６が存在しないことが好ましい。ただし、第２ガス発生剤２６が存在する場合であっても、例えば、収容カップ２７１の底面部２７１ａに小さな開口を形成し、第２点火器２７の作動時に該底面部２７１ａ上方の第２ガス発生剤２６を優先的に燃焼させることによって、金属ヘッダー２７３側から脱離した収容カップ２７１の移動空間を好適に確保することができる。
【００４０】
ここで、金属ヘッダー２７３側から脱離した収容カップ２７１の移動が制限された状態における、燃焼生成物の第２燃焼室２５への広がりについて、図４Ｂに基づいて説明する。図４Ｂに示すように、収容カップ２７１は、クッション３５を介して分割壁部１４によって受け止められている。そして、このような状態においては、更に、収容カップ２７１の開口部２７１ｃが拡径した状態が形成されている。この状態は、収容カップ２７１が金属ヘッダー２７３側から脱離し、該収容カップ２７１を形成する金属が弾性変形、又は塑性変形することによって形成される。このときの、燃焼生成物の第２燃焼室２５への広がりについて、以下に詳しく説明する。
【００４１】
上述したように、点火薬２７２の燃焼で生じる燃焼生成物は、チャージホルダ２７４の上端から噴出される（これは、図４Ｂにおける矢印Ｃ１によって表される。）。この燃焼生成物は、収容カップ２７１の内壁面に作用するとともに、該内壁面で反射して第２燃焼室２５へ広がることになる。ここで、収容カップ２７１の内壁面で反射した燃焼生成物は、周壁部２７１ｂによって、その流れがガイドされる（これは、図４Ｂにおける矢印Ｃ２によって表される。）。その結果、図４Ｂにおける矢印Ｃ２に示すように、燃焼生成物が金属ヘッダー２７３側（第２点火器２７側）に指向される。更に、このとき、収容カップ２７１の開口部２７１ｃが拡径した状態が形成されているため、燃焼生成物は、金属ヘッダー２７３側（第２点火器２７側）の広い範囲に導かれることになる。これにより、第２点火器２７の周囲に配置された第２ガス発生剤２６の燃焼を、広範囲に亘って促進させることができる。なお、チャージホルダ２７４の上端は、第２燃焼室２５において比較的上方側の空間に位置しているのに対して、第２燃焼室２５における下部シェル３の底面部３ｂ近傍の空間は、第２燃焼室２５の中で最も下方側の空間であるため、仮に上述したような収容カップ２７１のガイド機能がなければ、燃焼生成物は、該底面部３ｂ近傍の空間へ直接到達し難くなる。一方、本実施例では、上述した収容カップ２７１のガイド機能によって、燃焼生成物を底面部３ｂ近傍の第２燃焼室２５の空間まで直接届けることができ、以て、底面部３ｂ近傍の第２ガス発生剤２６への着火が容易に行われる。なお、第２点火器２７において、チャージホルダ２７４によって点火薬２７２を保持することなく、該点火薬２７２を収容室２７５に封止することもでき、この場合、第２点火器２７にチャージホルダ２７４が設けられていなくてもよい。
【００４２】
以上に述べた本発明に係るガス発生器によれば、点火器周囲に配置されたガス発生剤を好適に燃焼させることが可能となり、以て、ガス発生剤の燃焼ムラを可及的に抑制し、好適な燃焼ガス生成能力を発揮することができる。
【００４３】
＜実施例１の第１の変形例＞
次に、上述した実施例１の第１の変形例について、図５に基づいて説明する。なお、本変形例において、上述した実施例１と実質的に同一の構成については、その詳細な説明を省略する。図５は、本変形例に係る収容カップ２７１の概略構成を示す図である。
【００４４】
図５に示すように、本変形例に係る収容カップ２７１は、その周壁部２７１ｂに薄肉部２７１ｄを含んでいる。この薄肉部２７１ｄは、周壁部２７１ｂの高さ方向に延在し、該周壁部２７１ｂの他の部位と比べて肉厚が薄く形成されており、相対的に脆弱な構成となっている。なお、薄肉部２７１ｄが、本発明における第１脆弱部に相当する。このような構成によれば、点火薬２７２の燃焼で生じる燃焼生成物が収容カップ２７１の内壁面に作用すると、周壁部２７１ｂが薄肉部２７１ｄに沿って開裂していく。その結果、収容カップ２７１の開口部２７１ｃが拡径した状態が容易に形成され易くなる。これにより、燃焼生成物を金属ヘッダー２７３側（第２点火器２７側）の広い範囲に導き易くなる。
【００４５】
＜実施例１の第２の変形例＞
次に、上述した実施例１の第２の変形例について、図６に基づいて説明する。なお、本変形例において、上述した実施例１と実質的に同一の構成については、その詳細な説明を省略する。上述した実施例１におけるガス発生器は、図１に示したようなデュアルタイプのガス発生器１であるが、本発明が適用されるガス発生器は、このようなタイプのガス発生器に限定されない。本発明は、例えば図６に示すようなシングルタイプのガス発生器１００に適用することもできる。
【００４６】
図６に示すガス発生器１００では、ハウジング１０４を形成する上部シェル１０２及び下部シェル１０３のうち、下部シェル１０３の底面部１０３ｂに点火器１２３が固定される。そして、点火器１２３を取り囲むように形成された燃焼室１２１において、ガス発生剤１２２の燃焼が行われる。ガス発生剤１２２による燃焼ガスは、ガス発生剤１２２を取り囲むように配置されたフィルタ１３２を通過して、ガス排出口１０５に至る。なお、ガス排出口１０５は、上記の図１に示したガス発生器１と同様に、アルミニウムテープ１３４によりハウジング１０４の内部から塞がれている。また、ガス発生器１００に適用される点火器１２３については、上記の図２及び図３の説明で述べたとおりである。
【００４７】
このようなガス発生器１００でも、上記の図１に示したガス発生器１と同様に、点火器１２３の収容カップが、点火薬の燃焼で生じる燃焼生成物による作用により、該点火器１２３から脱離して所定の方向に移動する。そして、収容カップの移動は、クッション１３１及び上部シェル１０２の頂面部１０２ｄによって制限される。このように収容カップの移動が制限された状態において、該収容カップが受けた燃焼生成物が、該収容カップの周壁部によって点火器１２３の側に指向される。その結果、点火器１２３における収容室外部の側方及び下方のガス発生剤１２２の燃焼促進が図られる。なお、クッション１３１及び上部シェル１０２の頂面部１０２ｄが、本発明における制限部に相当する。また、ガス発生器１００において、点火器１２３の収容カップの底面部とクッション１３１との間に存在するガス発生剤１２２は、上記の図１に示したガス発生器１と同様に、例えば、収容カップの底面部に小さな開口を形成し、該開口から噴出した燃焼生成物を用いて優先的に燃焼させることができる。これにより、金属ヘッダー側から脱離した収容カップの移動空間を好適に確保することができる。
【００４８】
＜実施例２＞
次に、本発明の第２の実施例について、図７及び図８に基づいて説明する。なお、本実施例において、上述した実施例１と実質的に同一の構成については、その詳細な説明を省略する。図７は、本実施例に係る収容カップ２７１の概略構成を示す図である。
【００４９】
図７に示すように、本実施例に係る収容カップ２７１は、その周壁部２７１ｂに薄肉部
２７１ｅを含んでいる。この薄肉部２７１ｅは、周壁部２７１ｂの周方向に延在し、該周壁部２７１ｂの他の部位と比べて肉厚が薄く形成されており相対的に脆弱な構成となっている。なお、薄肉部２７１ｅが、本発明における第２脆弱部に相当する。ここで、本実施例に係る収容カップ２７１は、周壁部２７１ｂのうち開口部２７１ｃの側において金属ヘッダー２７３に固着されている。そして、薄肉部２７１ｅは、固着された部分よりも底面部２７１ａ寄りの周壁部２７１ｂに形成されている。なお、収容カップ２７１と金属ヘッダー２７３との固着は、例えば収容カップ２７１と金属ヘッダー２７３とが溶接されることによって実現される。
【００５０】
このような収容カップ２７１を有する第２点火器２７において、点火薬２７２の燃焼で生じる燃焼生成物が収容カップ２７１の内壁面に作用すると、周壁部２７１ｂに含まれる薄肉部２７１ｅが破断する。そうすると、周壁部２７１ｂの一部と底面部２７１ａが一体となって金属ヘッダー２７３側から脱離する。なお、周壁部２７１ｂの別の一部である開口部２７１ｃ側の周壁部２７１ｂは、金属ヘッダー２７３に固着された状態が維持される。そして、金属ヘッダー２７３側から脱離した上記の収容カップは、第２燃焼室２５において第２点火器２７から所定の方向へ移動し、図８に示すように、クッション３５を介して分割壁部１４によって受け止められる。更に、分割壁部１４によって受け止められた収容カップ２７１では、金属ヘッダー２７３側の周縁が拡径した状態が形成されている。この状態は、上述した実施例１と同様に、金属ヘッダー２７３側から脱離した収容カップ２７１を形成する金属が弾性変形、又は塑性変形することによって形成される。このとき、金属ヘッダー２７３側から脱離した収容カップ２７１の内壁面で反射した燃焼生成物は、破断した周壁部２７１ｂによって、その流れがガイドされる（これは、図８における矢印Ｃ２によって表される。）。その結果、図８における矢印Ｃ２に示すように、燃焼生成物が金属ヘッダー２７３側（第２点火器２７側）に指向される。そして、このように指向された燃焼生成物は、第２燃焼室２５の金属ヘッダー２７３側（第２点火器２７側）の広い範囲に導かれることになる。これにより、第２点火器２７の周囲に配置された第２ガス発生剤２６の燃焼を、広範囲に亘って促進させることができる。
【００５１】
＜実施例３＞
次に、本発明の第３の実施例について、図９から図１１Ｂに基づいて説明する。なお、本実施例において、上述した実施例１と実質的に同一の構成については、その詳細な説明を省略する。図９は、本実施例に係る点火器の概略構成を示す図である。本実施例では、上記の図１に示したガス発生器１における第２点火器２７を例にして説明する。本実施例に係る第２点火器２７では、図９に示すように、補助カップ２８１が、収容カップ２７１の底面部２７１ａを覆うように設けられている。この補助カップ２８１は、図１０に示すような円錐状のカップである。
【００５２】
そして、このような第２点火器２７は、収容カップ２７１の底面部２７１ａの所定部位が開裂することで、燃焼生成物を収容室２７５の外部に放出させる。詳しくは、図１１Ａに示すように、点火薬２７２の燃焼前の状態においては、収容カップ２７１の底面部２７１ａが補助カップ２８１によって覆われている。したがって、底面部２７１ａの所定部位（これは、図１１Ａにおける領域Ａ２に属する部位として表される。）も補助カップ２８１によって覆われることになる。なお、このとき、収容カップ２７１の底面部２７１ａと補助カップ２８１とによって所定の空間が形成されていて、該所定の空間を画定する補助カップ２８１の壁面が、補助カップ内壁面２８１ａとして定義される。そして、点火薬２７２の燃焼により、上記の所定部位が開裂すると、燃焼生成物が補助カップ内壁面２８１ａに作用する。つまり、補助カップ内壁面２８１ａが、本発明における受圧面に相当する。そうすると、補助カップ２８１は、収容カップ２７１から離間して、第２燃焼室２５において第２点火器２７から所定の方向へ移動する。そして、補助カップ２８１は、クッション３５及び分割壁部１４によって、その移動が制限される。なお、補助カップ２８１は
、点火薬２７２の燃焼により、収容カップ２７１から脱離可能となるように、点火薬２７２の燃焼前の状態において該収容カップ２７１に固定されている。また、収容カップ２７１は、点火薬２７２の燃焼により、該収容カップ２７１が金属ヘッダー２７３から脱離しないように、金属ヘッダー２７３に固着されている。このような固着は、例えば収容カップ２７１と金属ヘッダー２７３とが溶接されることによって実現される。
【００５３】
そして、補助カップ２８１がクッション３５を介して分割壁部１４によって受け止められている状態では、図１１Ｂにおける矢印Ｃ２´に示すように、燃焼生成物の流れが、補助カップ内壁面２８１ａによってガイドされる。その結果、燃焼生成物が金属ヘッダー２７３側（第２点火器２７側）に指向される。これにより、第２点火器２７の周囲に配置された第２ガス発生剤２６の燃焼を促進させることができる。
【００５４】
このようなガス発生器によっても、点火器周囲に配置されたガス発生剤を好適に燃焼させることが可能となり、以て、ガス発生剤の燃焼ムラを可及的に抑制し、好適な燃焼ガス生成能力を発揮することができる。
【符号の説明】
【００５５】
１          ：ガス発生器
２          ：上部シェル
３          ：下部シェル
４          ：ハウジング
５          ：ガス排出口
１０        ：分割壁
１４        ：分割壁部
１６        ：収容壁部材
２１        ：第１燃焼室
２２        ：第１ガス発生剤
２３        ：第１点火器
２５        ：第２燃焼室
２６        ：第２ガス発生剤
２７        ：第２点火器
３１、３５  ：クッション
３２        ：フィルタ
２７１      ：収容カップ
２７１ａ    ：底面部
２７１ｂ    ：周壁部
２７１ｃ    ：開口部
２７１ｄ、２７１ｅ    ：薄肉部
２７２      ：点火薬
２７３      ：金属ヘッダー
２７４      ：チャージホルダ
２７５      ：収容室
２７６      ：ブリッジワイヤ
２７７      ：絶縁体
２７８      ：導電ピン
２７９      ：樹脂カラー
２８１      ：補助カップ
２８１ａ    ：補助カップ内壁面
【図１】
2019018783.tif 000003
【図２】
2019018783.tif 000004
【図３】
2019018783.tif 000005
【図４Ａ】
2019018783.tif 000006
【図４Ｂ】
2019018783.tif 000007
【図５】
2019018783.tif 000008
【図６】
2019018783.tif 000009
【図７】
2019018783.tif 000010
【図８】
2019018783.tif 000011
【図９】
2019018783.tif 000012
【図１０】
2019018783.tif 000013
【図１１Ａ】
2019018783.tif 000014
【図１１Ｂ】
2019018783.tif 000015